(57)【要約】【課題】隣接する緑化用ユニットプランタと連結するための部品数が少なく、連結作業及び製造作業が容易な緑化用ユニットプランタを提供することである。【解決手段】四角形状の底面１２と、該底面１２の各辺１２Ａに立設された４組の側壁１４と、を備えた緑化用ユニットプランタ１０において、前記各側壁１４には、上方に開いた切欠き部２２が少なくとも１以上形成されており、該切欠き部２２は、隣接する緑化用ユニットプランタ１０の切欠き部と整合する位置に設けられ、前記切欠き部２２に沿った形状の一つの連結部材２６を前記切欠き部２２と隣接する緑化用ユニットプランタ１０の切欠き部２２に嵌め込むことによって、前記隣接する緑化用ユニットプランタ１０と連結することができることを特徴とするものである。【選択図】図２
2010172345.tif 000002
【特許請求の範囲】
【請求項１】
多角形状の底面と、該底面の各辺に立設された側壁と、を備えた緑化用ユニットプランタにおいて、前記各側壁には、上方に開いた切欠き部が少なくとも１以上形成されており、該切欠き部は、隣接する緑化用ユニットプランタの切欠き部と整合する位置に形成され、前記切欠き部に沿った形状の一つの連結部材を前記切欠き部と隣接する緑化用ユニットプランタの切欠き部に嵌め込むことによって、前記隣接する緑化用ユニットプランタと連結することができることを特徴とする緑化用ユニットプランタ。
【発明の詳細な説明】
【技術分野】
【０００１】
本発明は、例えば屋上やベランダなどの緑化に適する植物を栽培するための緑化用ユニットプランタに関する。
【背景技術】
【０００２】
従来より、屋上やベランダなどの緑化を行うために、緑化用ユニットプランタが利用されている。緑化用ユニットプランタ４０Ａ、４０Ｂは、図９及び１０に示すように、通常、正方形状の底面４２を有する箱状に形成されており、屋上などに複数の緑化用ユニットプランタを隣接させて並べることにより使用されている。そして、緑化用ユニットプランタ４０Ａは、ボルトとナットの締結具４４などによって隣接する緑化用ユニットプランタ４０Ｂと連結するよう構成されている。また、従来の緑化用ユニットプランタ４０Ａには、その収容空間と隣接する緑化用ユニットプランタ４０Ｂの収容空間を連通させる連通孔４６を備えているものがあり、この連通孔４６によって、緑化用ユニットプランタの収容空間に収容された土壌などの水分、栄養分などが散布された際に、水分などが横方向にも拡散する。したがって、隣接する緑化用ユニットプランタ４０Ａ、４０Ｂ間で水分等の撒きムラが生じたとしても、この連通孔４６を介して水分等を略均一にさせることができる。
【０００３】
さらに、従来の緑化用ユニットプランタ４０Ａ、４０Ｂは、運搬性を向上させるため、軽量な材料、例えば合成樹脂などで形成されているものがあるが、合成樹脂などで形成されているものは、剛性が十分でないため、緑化用ユニットプランタ４０Ａ、４０Ｂの側壁４８の内側の縦方向全域に亘ってリブ５０を設けることによって剛性を向上させているものがある。
【発明の概要】
【発明が解決しようとする課題】
【０００４】
しかしながら、従来の緑化用ユニットプランタ４０Ａ、４０Ｂは、ボルトとナットなどの連結具４４によって隣接する緑化用ユニットプランタと連結しているので、部品数が多くなり、また連結作業もボルトを締めるなど煩雑である。また、このような緑化用ユニットプランタは、製造過程において連通孔４６やボルト穴５２などを開ける必要があるため、製造作業も煩雑である。
【０００５】
また、従来のように剛性を向上させるためにリブ５０を縦方向全域に亘って設けると側壁４８の可撓性が失われて、隣接する緑化用ユニットプランタ４０Ｂと密に連結することができず、隙間が空いてしまい美観が損なわれるという問題がある。
【０００６】
そこで、本発明は、隣接する緑化用ユニットプランタと連結するための部品数が少なく、連結作業及び製造作業が容易な緑化用ユニットプランタを提供することを第１の目的とする。
【０００７】
また、本発明は、隣接する緑化用ユニットと密に連結させることができる緑化用ユニットプランタを提供することを第２の目的とする。
【課題を解決するための手段】
【０００８】
上記第１の目的を達成するため、本発明は、多角形状の底面と、該底面の各辺に立設された側壁と、を備えた緑化用ユニットプランタにおいて、前記各側壁には、上方に開いた切欠き部が少なくとも１以上形成されており、該切欠き部は、隣接する緑化用ユニットプランタの切欠き部と整合する位置に形成され、前記切欠き部に沿った形状の一つの連結部材を前記切欠き部と隣接する緑化用ユニットプランタの切欠き部に嵌め込むことによって、前記隣接する緑化用ユニットプランタと連結することができることを特徴とするものである。
【０００９】
以上のように本発明に係る緑化用ユニットプランタによれば、各側壁に形成された切欠き部に沿った形状の連結部材を切欠き部と隣接する緑化用ユニットプランタの切欠き部に嵌め込むことによって、隣接する緑化用ユニットプランタと連結させるよう構成され、前記切欠き部は、上方に開いているので、互いに隣接する切欠き部の上方から連結部材を嵌め込むだけで互いに隣接する緑化用ユニットプランタを連結することができる。
【００１０】
また、ジョイント部は、切欠き部に沿って形成されているので、隣接する緑化用ユニットプランタの切欠き部に整合された切欠き部を塞ぐことはなく、この切欠き部を水などの横方向の拡散のための連通孔として機能させることができる。このように、上方に開いた切欠き部が、隣接する緑化用ユニットプランタとの連結及び水分等の連通孔として機能させることができるので、従来の緑化用ユニットプランタのように各側壁に連通孔やボルト穴を設ける必要はなく、そのため、型などによる一体成型により容易に製造することができる。したがって、本発明に係る緑化用ユニットプランタは、合成樹脂などによって構成されていることが好ましい。
【００１１】
また、上記第２の目的を達成するため、本発明は、多角形状の底面と、該底面の各辺に立設された側壁と、を備えた緑化用ユニットプランタにおいて、前記各側壁は、可撓性材料から構成されており、前記底面から前記各側壁の内側には、リブが設けられており、該リブの高さと前記側壁の高さの比は、０．３〜０．８：１であることを特徴とするものである。
【００１２】
以上のように本発明に係る緑化用ユニットプランタによれば、各側壁の内側に設けられたリブは、側壁の高さよりも低いので、側壁上部の可撓性を確保することができ、緑化用ユニットプランタの収容部に土壌を入れた際に、側壁上部が外側に若干撓むので隣接する緑化用ユニットプランタと密に連結させることができる。
【００１３】
また、本発明に係る緑化用ユニットプランタにおいて、前記底面には、下方に突出する少なくとも１以上の脚部が設けられており、前記リブの前記底面に沿った内側に延びる幅が、前記脚部と前記底面の辺との前記底面に沿った長さよりも短くなるよう形成されていることが好ましい。このように、脚部を設けることにより、互いに隣接する緑化用ユニットプランタを連結させた際に、各脚部の間に空間を形成することができ、この空間を排水空間として機能させることができ、また、前記リブの前記底面に沿った内側に延びる幅は、前記脚部と前記底面の辺との前記底面に沿った長さよりも短く形成されているので、本発明に係る緑化用ユニットプランタを重ねた際に脚部がリブに当ることはなく、積み重ねた際に嵩下げを実現することができる。
【発明の効果】
【００１４】
以上のように、本発明に係る緑化用ユニットプランタによれば、各側壁に形成された切欠き部に沿った形状の連結部材を切欠き部と隣接する緑化用ユニットプランタの切欠き部に嵌め込むことによって、隣接する緑化用ユニットプランタと連結させるよう構成され、前記切欠き部は、上方に開いているので、互いに隣接する切欠き部の上方から連結部材を嵌め込むだけで互いに隣接する緑化用ユニットプランタを連結することができ、また、ジョイント部は、切欠き部に沿って形成されているので、隣接する緑化用ユニットプランタの切欠き部に整合された切欠き部を塞ぐことはなく、この切欠き部を水などの横方向の拡散のための連通孔として機能させることができる。このように、上方に開いた切欠き部が、隣接する緑化用ユニットプランタとの連結及び水分等の連通孔として機能させることができるので、従来の緑化用ユニットプランタのように各側壁に連通孔やボルト穴を設ける必要はなく、そのため、型などによる一体成型により容易に製造することができる。
【００１５】
さらに、本発明に係る緑化用ユニットプランタによれば、各側壁の内側に設けられたリブは、側壁の高さよりも低いので、側壁上部の可撓性を確保することができ、緑化用ユニットプランタの収容部に土壌を入れた際に、側壁上部が外側に若干撓むので隣接する緑化用ユニットプランタと密に連結させることができる。
【図面の簡単な説明】
【００１６】
【図１】本発明に係る緑化用ユニットプランタの実施例の平面図である。
【図２】図１のＩＩ−ＩＩ線に沿った断面図である。
【図３】図２の一部拡大図である。
【図４】本実施例に係る緑化用ユニットプランタを連結する連結具の正面図である。
【図５】本実施例に係る緑化用ユニットプランタを連結する連結具の側面図である。
【図６】本実施例に係る緑化用ユニットプランタを連結した状態の正面図である。
【図７】本実施例に係る緑化用ユニットプランタを連結した状態の斜視図である。
【図８】本実施例に係る緑化用ユニットプランタを積み重ねた状態の正面断面図である。
【図９】従来の緑化用ユニットプランタを連結した状態の平面図である。
【図１０】図９のＸ−Ｘ線に沿った断面図である。
【発明を実施するための形態】
【００１７】
次に、本発明に係る緑化用ユニットプランタの実施例について図面に基づいて説明する。図１は、本実施例に係る緑化用ユニットプランタの平面図であり、図２は、図１のＩＩ−ＩＩ線に沿った断面図である。
【００１８】
本実施例に係る緑化用ユニットプランタ１０は、正方形状の底面１２と、底面１２の各辺１２Ａに立脚する４組の側壁１４と、から構成されており、これら底面１２と各側壁１４によって囲まれた空間により土壌などを収容する収容部１６が形成される。また、緑化用ユニットプランタ１０は、可撓性を有する合成樹脂、例えばポリプロピレンを型などに充填して一体成型によって形成される。
【００１９】
底面１２には、下方に突出する脚部１８が縦３×横３、計９個設けられている。これら脚部１８は、平面正方形状に形成されており、収容部１６に向かって開口された空間２０を有している。また、これら脚部１８の側面１８Ａから底面１２に亘って、脚部１８の側面１８Ａに対して垂直方向に延びる切欠き溝１８Ｂが複数形成されている。これら切欠き溝１８Ｂは、平面方向及び側面１８Ａの上方１／３の位置から脚部１８間の底面１２の間約２／５の位置に亘り設けられ、排水孔として機能する。また、切欠き１８Ｂは、側面１８Ａの上方約１／３の位置から脚部１８と側壁１４の間に位置する底面１２の間約２／５の位置に亘り設けられており、同様に排水孔として機能する。
【００２０】
各側壁１４は、図２に示すように底面１２の各辺１２Ａに若干外側に傾いた状態で立脚して設けられている。各側壁１４には、上方に開いたＵ字状の切欠き部２２が２組ずつ形成されており、各側壁の一端１４Ａと切欠き部２２の中心の長さと、他端１４Ｂと切欠き部２２の中心間の長さが等しくなるよう切欠き部２２が形成されている。したがって、本実施例に係る緑化用ユニットプランタ１０を互いに隣接された場合、各緑化用ユニットプランタ１０の切欠き部２２を整合させることができる。
【００２１】
底面１２から各側壁１４の内側には、リブ２４が３つずつ設けられている。これらリブ２４は、図３に示すように、その高さが側壁１４の高さの３分の２になり、その内側に延びる底面１２に沿った幅Ｓが、脚部１８と底面１２の辺１２Ａとの底面１２に沿った長さＴよりも短くなるように形成されている。
【００２２】
本実施例に係る緑化用ユニットプランタ１０は、切欠き部２２に沿った形状の連結部材２６を切欠き部２２と隣接する緑化用ユニットプランタ１０の切欠き部２２に上方から嵌め込むことによって、隣接する緑化用ユニットプランタ１０と連結される。すなわち、連結部材２６は、図４及び５に示すように、切欠き部２２の形状に沿ったＵ字状に形成されており、Ｕ字の外周全域に亘って、溝２６Ａが形成されている。この溝２６Ａは、側壁１４と同程度の傾きを有するので、この溝２６Ａに２枚の側壁１４を重ねた状態で嵌め合わせることができ、この連結部材２６を上方から切欠き部２２に嵌め込むことによって互いに隣接する緑化用ユニットプランタ１０を連結することができる。
【００２３】
図６に示すように本実施例に係る緑化用ユニットプランタ１０を連結すると、隣接する緑化用ユニットプランタ１０の各脚部の間に空間Ｘを形成することができる。この空間Ｘ及びユニットプランタ１０の脚部１８間にある空間Ｚは、切り溝１８を介してユニットプランタ１０の収容部１６に連通するので、これらの空間Ｘ及びＺは排水空間として機能させることができる。また、図７に示すように、Ｕ字状の連結部材２６を切欠き部２２に嵌め込むことによって、互いに隣接する緑化用ユニットプランタを連結することができるので、切欠き部２２の空間Ｙを塞ぐことはなく、収容部１６に入れられた土壌に散布された水の連通孔としてこの切欠き部２２を機能させることができる。
【００２４】
本実施例に係る緑化用ユニットプランタ１０は、互いに隣接するものを連結部材２６によって連結した後、脚部１８の空間２０には、保水材が充填され、その上の収容部に土壌が充填される。収容部１６に土壌が充填されると、壁面の上部には、リブが形成されていないために撓ますことができ、隣接する緑化用ユニットプランタ１０の側壁１４を互いに蜜に連結させることができる。
【００２５】
また、図３に示すようにリブ２４の底面１２に沿った内側に延びる幅Ｓが、脚部１８と底面１２の辺１２Ａとの底面１２に沿った長さＴよりも短くなるように形成されているので、図８に示すように、本実施例に係る緑化用ユニットプランタ１０を重ねた場合に脚部１８がリブ２４に当ることはなく、積み重ねた際の嵩下げを実現することができる。
【００２６】
本実施例においては、底面が正方形状の緑化用ユニットプランタについて説明したが、底面の形状は、これに限定されず、例えば直角二等辺三角形状、３０°、６０°、９０°を有する三角形状、正三角形状、長方形状、正多角形状などでも良い。
【符号の説明】
【００２７】
１０  緑化用ユニットプランタ
１２  底面
１４  側壁
２２  切欠き部
２６  連結部
【図１】
2010172345.tif 000003
【図２】
2010172345.tif 000004
【図３】
2010172345.tif 000005
【図４】
2010172345.tif 000006
【図５】
2010172345.tif 000007
【図６】
2010172345.tif 000008
【図７】
2010172345.tif 000009
【図８】
2010172345.tif 000010
【図９】
2010172345.tif 000011
【図１０】
2010172345.tif 000012
【手続補正書】
【提出日】平成22年5月17日(2010.5.17)
【手続補正２】
【補正対象書類名】特許請求の範囲
【補正対象項目名】全文
【補正方法】変更
【補正の内容】
【特許請求の範囲】
【請求項１】
多角形状の底面と、該底面の各辺に立設された側壁とにより土壌の収容部が形成される緑化用ユニットプランタにおいて、前記各側壁には、上方に開いた切欠き部が少なくとも１以上形成されており、該切欠き部は、隣接する緑化用ユニットプランタの切欠き部と整合する位置に形成され、前記切欠き部に沿った形状の一つの連結部材を前記切欠き部と隣接する緑化用ユニットプランタの切欠き部に嵌め込むことによって、前記隣接する緑化用ユニットプランタと連結することができることを特徴とする緑化用ユニットプランタ。
【請求項２】
前記側壁は、外側に傾いた状態で前記底面の各辺に立設されていることを特徴とする請求項１記載の緑化用ユニットプランタ。
【請求項３】
多角形状の底面と、該底面の各辺に立設された側壁とにより土壌の収容部が形成され、前記各側壁には、上方に開いた切欠き部が少なくとも１以上形成されており、該切欠き部が、隣接する緑化用ユニットプランタの切欠き部と整合する位置に形成されている緑化用ユニットプランタを設置する方法であって、
前記切欠き部に沿った形状の一つの連結部材を前記切欠き部と隣接する緑化用ユニットプランタの切欠き部に嵌め込むことによって、前記隣接する緑化用ユニットプランタと連結することを特徴とする緑化用ユニットプランタの設置方法。